(57)【特許請求の範囲】
【請求項１】
引出しの底板下面における後端付近に緩衝装置が設けられ、引出しが収納される家具本体部における前端付近に前記緩衝装置と係合する係止具が設けられ、前記引出しを開方向へ引き出すと、前記引出しが引き出し限度位置に到達する前に前記緩衝装置が前記係止具と係合して前記引出しに引き出し方向に対する制動を与えると共に、前記緩衝装置に内蔵された付勢手段によって、前記引出しが引き出し限度位置まで押し出されるようになされている引出しにおいて、
引出しの背板と、当該引出しが収納される家具本体部の背面部材との間に空間が形成され、前記緩衝装置の一部を前記引出しの背板よりも後方へ突出させたことを特徴とする緩衝機能付き引出し。
【請求項２】
引出しの底板下面における後端付近に緩衝装置が設けられ、引出しが収納される家具本体部における前端付近に前記緩衝装置と係合する係止具が設けられ、前記引出しを開方向へ引き出すと、前記引出しが引き出し限度位置に到達する前に前記緩衝装置が前記係止具と係合して前記引出しに引き出し方向に対する制動を与えると共に、前記緩衝装置に内蔵された付勢手段によって、前記引出しが引き出し限度位置まで押し出されるようになされている引出しにおいて、
引出しの背板と、当該引出しが収納される家具本体部の背面部材との間に空間が形成され、前記引出しの底板を背板よりも後方へ延設し、当該延設部分の下面に前記緩衝装置の一部又は全部を設けたことを特徴とする緩衝機能付き引出し。
【発明の詳細な説明】
【技術分野】
【０００１】
本発明は、システムキッチン、洗面化粧台、事務机、書類用キャビネット、洋服たんす等の収納家具における引出しにおいて、勢いよく引き出したときでも、引出しが引き出し限度位置に到達する前に制動を与えて減速させ、衝撃を緩和するようになされたものに関する。
【背景技術】
【０００２】
システムキッチン等に備えられる引出しの開閉動作を急速に行うと、急加速・急停止により内部に収納した物品に衝撃を与え、整頓状態が乱れたり、物品どうしの衝突によって破損を招いたりする。そこで、引出しを勢いよく閉めたとしても、引出しに制動を与えて移動速度を制御するための緩衝装置が、特許文献１に記載されている。
【特許文献１】特開２００５−２０４７９０公報
【発明の開示】
【発明が解決しようとする課題】
【０００３】
特許文献１には、主として、引出しの挿入動作時の衝撃を緩和する手段について記載され、引き出し動作時の衝撃を緩和することについては、示唆が有るに過ぎず、具体的な構成については開示されていない。本発明は、引出しの引き出し動作時の衝撃を緩和するための具体的な手段の提供を目的とする。
【課題を解決するための手段】
【０００４】
前記目的のために本発明が提案する緩衝機能付き引出しの特徴とするところは、請求項１に記載する如く、引出しの底板下面における後端付近に緩衝装置が設けられ、引出しが収納される家具本体部における前端付近に前記緩衝装置と係合する係止具が設けられ、前記引出しを開方向へ引き出すと、前記引出しが引き出し限度位置に到達する前に前記緩衝装置が前記係止具と係合して前記引出しに引き出し方向に対する制動を与えると共に、前記緩衝装置に内蔵された付勢手段によって、前記引出しが引き出し限度位置まで押し出されるようになされている引出しにおいて、引出しの背板と、当該引出しが収納される家具本体部の背面部材との間に空間が形成され、前記緩衝装置の一部を前記引出しの背板よりも後方へ突出させたことである。この実施態様は、緩衝装置の一部を引出し底板に固定し、残りの部分を引出し背板の後方へ張り出させる態様を含んでいる。
【０００５】
また本発明は、引出しに設ける緩衝装置の取付安定性を向上させるため、請求項２に記載の如く、引出しの底板下面における後端付近に緩衝装置が設けられ、引出しが収納される家具本体部における前端付近に前記緩衝装置と係合する係止具が設けられ、前記引出しを開方向へ引き出すと、前記引出しが引き出し限度位置に到達する前に前記緩衝装置が前記係止具と係合して前記引出しに引き出し方向に対する制動を与えると共に、前記緩衝装置に内蔵された付勢手段によって、前記引出しが引き出し限度位置まで押し出されるようになされている引出しにおいて、引出しの背板と、当該引出しが収納される家具本体部の背面部材との間に空間を形成し、前記引出しの底板を背板よりも後方へ延設し、当該延設部分の下面に前記緩衝装置の一部又は全部を設けることも可能である。
【０００６】
さらに前記の如く引出しの底板に背板よりも後方へ延設した部分を設けた場合は、当該延設部分に切欠部を形成する構成も採用できる。
【発明の効果】
【０００７】
請求項１に記載する本発明に係る引出しは、急激な引出し動作を行ったとしても、引出しが引き出し限度位置に到達する前に緩衝装置が係止具と係合することにより、引出しに引き出し方向に対する制動を与えて移動速度を低減させるので、急停止による収納物の乱雑化や破損を防止できる。引き出し限度位置付近で緩衝装置が係止具と係合するから、使用者は引き出し動作中に引出しに制動が作用したことを感知することで、引き出し限度位置に近づいたことを容易に知ることができる。従来、特に奥行き寸法の大きい引出しの場合、その引き出し限度位置が視覚的に分かりにくいことが多かった。また、緩衝装置に内蔵された付勢手段が引出しを押し出すので、緩衝装置が係止具と係合した後は、使用者が引出しから手を離しても、引出しを自動的に引き出し限度位置まで移動させることができる。引出し底板に配置した緩衝装置と、家具本体部側に設けた係止具とが係合することにより、一般に引出しの摺動を案内するレールと引出し側の受け具との重なり量が少なくなる引き出し限度位置付近において、引出しの移動状態を安定化させ、がたつきを減少させることができる。
【０００８】
また、緩衝装置の一部を引出しの背板よりも後方へ突出させたので、当該緩衝装置と家具本体側の係止具との係合位置を、引出しの背板より後方領域に設定することができる。これにより、引出しの引き出し限度位置を前方側へ移動させることができ、緩衝装置及び係止具の配置によっては、背板が家具本体部の前面と面一となる位置又はそれ以上の前方位置まで引出しを引き出して全開状態とすることができるので、使い勝手のよい引出しを提供できる。また、引出しを全開可能にしたときでも、係止具を家具本体部の前面より手前へ突出させることがないから、意匠性が優れる。
【０００９】
前記効果は、請求項２に記載する如く、背板よりも後方へ底板を延設し、この延設部分に緩衝装置を設けることによっても達成される。本実施態様の場合、緩衝装置は底板の延設部分で保持されるから、緩衝装置の取付安定性に優れる、また、引出しを摺動可能に支持するレールや受け具等の摺動案内部材を、底板の延設部分に設けることが可能であるから、全開状態における引出しの安定性が向上し、がたつきが減少する。
【００１０】
なお、底板に延設部分を設けた場合は、この延設部分に切欠部を形成することにより、引出しの背板と家具本体部の背面部材との間の空間に配管等が有る場合、それらとの干渉を避けることができる。
【発明を実施するための最良の形態】
【００１１】
図１は、例えば上下二段の引出し１，１を備えるキッチンキャビネットＫに、本発明を適用した場合を示すものであって、図（Ａ）は引出し１を収納した状態、図（Ｂ）は下段の引出し１を引き出した状態を示している。なお、引出し１，１を摺動可能に支持するレールや受け具等の摺動案内部材については、公知のものが使用できるので、いずれの図面においても図示を省略してある。
【００１２】
本発明に係る引出し１の特徴は、底板２の下面における後端付近に緩衝装置１０を設けると共に、引出し１が収納される家具本体部３０の前端付近に、上記緩衝装置１０と係合する係止具２０を設け、引出し１を開方向へ引き出して、引出し１が引き出し限度位置付近に達すると、緩衝装置１０と係止具２０とが係合することにより、引出し１に引き出し方向に対する制動を与えて減速させ、しかるのち、緩衝装置１０に内蔵した付勢手段（本例では後述するバネ１８）によって、引出し１を引き出し限度位置まで押し出す機能を発揮するところにある。
【００１３】
図示する如く、引出し１の背板３と家具本体部３０の背面部材３２との間に配管Ｐ用スペース等の空間Ｓが形成されているときには、この空間Ｓを利用して、緩衝装置１０を引出し１の後方へ突出させることが考えられる。この場合、引出し１の底板２に背板３より後方へ延びる延設部分２Ａを設け、この延設部分２Ａの下面に緩衝装置１０を装着するとよい。また、この延設部分２Ａには、レールや受け具等の摺動支持部材を設けることができる。従って、引出し１の引き出し限度位置を、より前方に設定することが可能となり、条件によっては、引出し１の背板３が家具本体部３０の前面３０Ａと面一になる位置あるいは家具本体部前面３０Ａより前方となる位置まで引き出し可能として、引出し１を全開状態にすることができる。
【００１４】
図２は、前記キャビネットＫの平面断面図であり、引出し１については輪郭のみ二点鎖線で仮想的に示してある。同図に示すように、引出し１における底板２下面の後端付近に二つの緩衝装置１０，１０が左右に適宜間隔をおいて配設され、家具本体部３０の前端側に配設した横桟３１上面に、二つの係止具２０，２０が各緩衝装置１０，１０と係合し得る位置に配設されている。係止具２０には、緩衝装置１０と係合する係止突起２１が設けられている。なお、引出し１の底板２に配管用空間Ｓへ延びる延設部分２Ａを設け、その下面に緩衝装置１０，１０を配設する場合、配管Ｐとの干渉を避けるため、上記延設部分２Ａにおける緩衝装置１０，１０間に切欠部２Ｂを形成することが望ましい。
【００１５】
緩衝装置１０の主たる構成要素は、図４，５に示すように、ハウジング１１、揺動受け具１３、スライダ１４、制動ピニオン１７、及び、バネ１８である。ハウジング１１は引出し１の底板２下面に固定され、揺動受け具１３とスライダ１４とはハウジング１１に対し相対移動が可能になされ、制動ピニオン１７はハウジング１１へ一体的に装着されている。揺動受け具１３は、係止具２０の係止突起２１を挿入させる嵌合凹部１２と、ハウジング１１内面に設けられた案内突部１１ａに当接するガイドピン１３ｂとを有し、スライダ１４に対しヒンジ部１３ａで揺動可能に取着されている。ハウジング１１内を摺動するスライダ１４は、制動ピニオン１７のピニオン部１６と噛合するラック部１５を備え、一端をハウジング１１に取着したバネ１８によって、バネ収縮方向の付勢力が及ぼされている。またスライダ１４には、上記揺動受け具１３と当接して、その回動範囲を規制する係止段部１４ａと、ハウジング１１に設けられたストッパ１９に当接する係止部１４ｂとが備えられている。制動ピニオン１７は、ピニオン部１６に回転抵抗を付与したものであって、例えばピニオン部１６の回転軸に羽根等を設け、その周囲をグリース等の粘性の高い流体で封入した構造などが考えられる。
【００１６】
前述した緩衝装置１０の作用は次のとおりである。引出し１が収納位置に在るとき、図４（Ａ）に示すように、緩衝装置１０の揺動受け具１３及びスライダ１４は前方側（図面の下側）に位置すると共に、揺動受け具１３がヒンジ部１３ａを中心に揺動した状態（初期状態）となっている。このときスライダ１４には、伸張するバネ１８から上側方向（引出し１後方）への付勢力が作用するが、揺動受け具１３のガイドピン１３ｂが、ハウジング１１に円弧状に設けられた案内突部１１ａの末端凹部１１ｂと係合することにより、上記初期状態が維持される。
【００１７】
図３（Ａ）に示すように、引出し１を収納位置から引き出し方向へ移動させると、同図（Ｂ）に示すように、引出し１が引き出し限度位置に達する手前で、緩衝装置１０と係止具２０とが係合する。初期状態の揺動受け具１３は、図４（Ａ）に示す如く、若干傾斜した姿勢に維持されており、これは、嵌合凹部１２の入口を、引出し１の進行方向に対し広く開口させた姿勢となっている。従って、緩衝装置１０を前進させると、係止具２０の係止突起２１が嵌合凹部１２内へ容易に挿入され、次いで、図４（Ｂ）に示す如く、揺動受け具１３をスライダ１４の係止段部１４ａに当接する位置まで揺動させることとなる。その結果、揺動受け具１３及びスライダ１４が、ハウジング１１に対し、相対的に摺動可能となる。
【００１８】
上記の状態で引出し１を引き出し方向へ移動させようとすると、揺動受け具１３及びスライダ１４は係止具２０との係合によって位置固定されるので、これらに対し、ハウジング１１と制動ピニオン１７とを前進させることになる（図３（Ｃ）の状態）。このとき、図５（Ａ）に示すように、制動ピニオン１７のピニオン部１７がスライダ１４のラック部１５と噛合し、ピニオン部１７には回転抵抗が付与されているため、進行方向に対する制動が働き、その結果、引出し１の移動速度を低減させる。従って、引出し１を勢いよく引き出したとしても、引き出し限度位置に到達する前に強制的に減速させることができる。また、このとき、ハウジング１１の長手方向に直線状に設けられた案内突部１１ｃが、揺動受け具１３のガイドピン１３ｂと当接することにより、揺動受け具１３を揺動できないように保持している。
【００１９】
しかるのち引出し１を、引き出し限度位置まで移動させる。引き出し限度位置は、ハウジング１１に設けたストッパ１９が、図５（Ｂ）に示す如く、スライダ１４の係止部１４ｂに当接することによって決定される。ところで、緩衝装置１０が図５（Ａ）に示す状態のとき、伸張しているバネ１８によって、スライダ１４とハウジング１１との間には収縮方向の付勢力が作用している。前述したようにスライダ１４が位置固定されている状況下では、上記付勢力はハウジング１１を前進方向へ移動させる力として作用する。従って、使用者が引出し１を引き出して制動を感知したならば、引出し１から手を離しても、バネ１８の収縮力によってハウジング１１のストッパ１９がスライダ１４の係止部１４ｂに当接するまで前進するから、引出し１を自動的に引き出し限度位置まで到達させることが可能である。なお、スライダ１４の前方側にラック部１５を欠損させた部位１４ｃを設けておけば、バネ１８の付勢力が弱まる引き出し限度位置の直近でピニオン部１６との噛合が解除されて制動が働かなくなるので、引出し１を確実に引き出し限度位置まで到達させることができる。
【００２０】
引出し１を引き出し位置から収納位置へ戻す際には、引出し１を押し込んで後退させればよく、これにより、緩衝装置１０は、前記とほぼ反対の動作を行って、初期状態（図４（Ａ）参照）に復帰する。
【００２１】
以上説明したように、本発明に係る前記引出し１は、収納位置から急速な引き出し動作を行ったとしても、引き出し限度位置付近に到達すると、緩衝装置１０と係止具２０との係合により制動が働いて強制的に減速させ、急停止を回避するから、収納物の整頓状態を乱したり、物品どうしの衝突による破損等を招いたりするおそれがない。引き出し限度位置付近では、引出し１を出し入れ可能に支持するレールや受け具等の案内部材による支持領域が減じるため、従来はがたつきが生じ易かったが、本例の如く２個の緩衝装置１０，１０を左右に配し、それぞれに２つの係止具２０，２０を係合させれば、引出し１の安定性が向上し、がたつきが無くなる。引出し１の底板２に背板３よりも後方へ延びる延設部分２Ａを設け、この延設部分２Ａの下面に緩衝装置１０を設ければ、引き出し限度位置を前方に設定できる。よって延設部分２Ａの長さ、緩衝装置１０の長さ寸法、係止具２０の取着位置等を適宜設定することにより、図１（Ｂ）に例示する如く、引出し１を全開位置まで引き出すことも可能となる。また、緩衝装置１０は引出し底板２の延設部分２Ａに設けるから、緩衝装置１０の取付安定性が良好である。
【００２２】
ところで本例では、前記延設部分２Ａに配管Ｐとの干渉を回避するための切欠部２Ｂを形成したが、この切欠部２Ｂにより、底板２の補強が容易になった。すなわち図６（Ａ）（Ｂ）に例示する如く、切欠部２Ｂにおいて、例えば、引出し１の底板２及び背板３の両方にＬ字形の補強具４０を当接させてネジ４１等で固定すればよい。このように、きわめて簡単な構造により、緩衝装置１０を装着したことで振動やその他の力を受ける機会が増大した引出し１の後方側における底板２の支持強度を、容易に増大させることができる。
【００２３】
なお引出し１の底板２下面に設ける緩衝装置１０と、家具本体部３０側に設ける係止具２０との位置関係は、図７に示すように、揺動受け具１３を内向き、係止突起２１を外向きに配置する構成も可能である。
【００２４】
本発明は、引出しを有する収納家具であれば適用可能である。また、引出しの背板と家具本体部の背面部材との間の空間に配管等を有しない場合は、底板の延設部分に切欠部を形成することは必ずしも要しない。さらに、引出しの背板と家具本体部の背面部材との間に特に空間を持たない場合は、底板の延設部分は不要である。
【図面の簡単な説明】
【００２５】
【図１】本発明に係る引出しを適用したキッチンキャビネットの一例を示すものであって、図（Ａ）は引出しを収納した状態の側面断面図、図（Ｂ）は下段の引出しを引き出し限度位置まで引き出した状態の側面断面図である。
【図２】本発明に係る引出しを適用したキッチンキャビネットの一例を示す平面断面図である。
【図３】本発明に係る引出し（仮想線で描く）の引き出し動作を説明するためのものであって、図（Ａ）は緩衝装置と係止具とが係合する前の状態を示す平面図、図（Ｂ）は緩衝装置と係止具とが係合した状態を示す平面図、図（Ｃ）は緩衝装置と係止具との係合により引出しに制動が働いている状態を示す平面図である。
【図４】本発明に係る引出しに用いる緩衝装置の内部構造及び係止具を示すものであって、図（Ａ）は緩衝装置と係止具とが係合する前の状態の平面図、図（Ｂ）は緩衝装置と係止具とが係合した状態の平面図である。
【図５】本発明に係る引出しに用いる緩衝装置の内部構造及び係止具を示すものであって、図（Ａ）は緩衝装置と係止具とが係合して制動が働いている状態の平面図、図（Ｂ）は引き出し限度位置に達したときの緩衝装置および係止具の状態を示す平面図である。
【図６】本発明に係る引出しの異なる実施形態を示すものであって、図（Ａ）は要部の平面図、図（Ｂ）は図（Ａ）のＸ−Ｘ線における要部の側面断面図である。
【図７】本発明に係る引出しの異なる態様を示すキッチンキャビネットの平面断面図である。
【符号の説明】
【００２６】
Ｋ…キッチンキャビネット  Ｐ…配管  Ｓ…空間  １…引出し  ２…底板  ２Ａ…底板の延設部分  ２Ｂ…切欠部  ３…背板  １０…緩衝装置  １１…ハウジング  １１ａ…案内突部  １２…嵌合凹部  １３…揺動受け具  １４…スライダ  １５…ラック部  １６…ピニオン部  １７…制動ピニオン  １８…バネ  １９…ストッパ  ２０…係止具  ２１…係止突起  ３０…家具本体部  ３０Ａ…家具本体部の前面  ３１…横桟  ３２…背面部材
【図１】
0004470064.tif 000002
【図２】
0004470064.tif 000003
【図３】
0004470064.tif 000004
【図４】
0004470064.tif 000005
【図５】
0004470064.tif 000006
【図６】
0004470064.tif 000007
【図７】
0004470064.tif 000008